(57)【要約】【課題】タッチパネルの通信制御方式にかかわらず、タッチパネルの操作権を切り替えることができるスプリッターを提供する。【解決手段】スプリッター３２は、タッチパネルモニタ３３，３４のいずれか一つの操作を有効にする指示を入力するスイッチ５８と、スイッチ５８からの指示に応じて、タッチパネルモニタ３３，３４のいずれか一つの操作を有効にするアナログスイッチ４２，４３と、アナログスイッチ４２，４３と接続され、タッチパネルモニタ３３，３４とサーバ３１との通信を確立するためのＲＴＳ信号及びＤＴＲ信号の通過又は常時オンを切り替える制御切替スイッチ４４，４５と、操作が有効にされていないタッチパネルモニタから予め決められた時間内にデータ信号が入力されない場合に、制御切替スイッチ４４，４５の切り替え動作を制御するメインマイコン４８とを備えている。【選択図】図２
2018116546.tif 000002
【特許請求の範囲】
【請求項１】
複数のタッチパネルとサーバとの間に接続されるスプリッターであって、
前記複数のタッチパネルのいずれか一つの操作を有効にする指示を入力する入力手段と、
前記入力手段からの指示に応じて、前記複数のタッチパネルのいずれか一つの操作を有効にする第１の回路と、
前記第１の回路と接続され、前記複数のタッチパネルと前記サーバとの通信を確立するための通信確立信号の通過又は常時オンを切り替える第２の回路と、
前記第２の回路の切り替え動作を制御する制御手段とを備えることを特徴とするスプリッター。
【請求項２】
前記第２の回路が前記通信確立信号を通過させて、前記操作が有効にされていないタッチパネルからデータ信号が入力されない場合に、前記制御手段は、前記通信確立信号を常時オンするように前記第２の回路を制御し、
前記第２の回路が前記通信確立信号を常時オンして、前記操作が有効にされていないタッチパネルから前記データ信号が入力されない場合に、前記制御手段は、前記通信確立信号を通過するように前記第２の回路を制御することを特徴とする請求項１に記載のスプリッター。
【請求項３】
前記操作が有効にされていないタッチパネルから前記データ信号が入力される場合には、前記制御手段は、前記第２の回路に切り替え動作を指示しないことを特徴とする請求項１又は２に記載のスプリッター。
【請求項４】
複数のタッチパネルとサーバとの間に接続されるスプリッターであって、
前記複数のタッチパネルのいずれか一つの操作を有効にする第１の回路と、
前記第１の回路と接続され、前記複数のタッチパネルと前記サーバとの通信を確立するための通信確立信号の通過又は常時オンを切り替える第２の回路と、
前記通信確立信号の通過又は常時オンの切替指示を前記第２の回路に出力する指示出力手段とを備えることを特徴とするスプリッター。
【発明の詳細な説明】
【技術分野】
【０００１】
本発明は、スプリッターに関する。
【背景技術】
【０００２】
従来より、１台のサーバからの信号を複数台（例えば２台）のコンソールに送るスプリッターが知られている。スプリッターはサーバと複数のコンソールとの間に接続される。複数のコンソールがサーバを同時に操作することはできず、１つのコンソールがサーバを操作している場合、他のコンソールはサーバを操作できない。この場合、他のコンソールがサーバを操作するためには、操作権を取得する必要がある。操作権を取得するためには、スプリッターに設けられた切り替えスイッチを押す方法、操作権が無いキーボードのショートカットキーを使用する方法、又は操作権が無いタッチパネルをタッチする方法がある。
【０００３】
図１は、従来のスプリッターの構成図である。尚、図１では、ＲＳ２３２Ｃに関連する構成のみを示し、ＰＳ／２又はＵＳＢに関連する構成及びビデオに関連する構成は省略している。
【０００４】
スプリッター２は、ＲＳ２３２Ｃ端子１３を介してサーバ１に接続されている。さらに、スプリッター２は、ＲＳ２３２Ｃ端子１１，１２を介してタッチパネルモニタ３，４にそれぞれ接続されている。スプリッター２は、ＲＳ２３２Ｃコントローラ１４、アナログスイッチ１５，１７、ＲＳ２３２Ｃコントローラ１６，１８、メインマイコン１９及びスイッチ２０を備えている。ＲＳ２３２Ｃコントローラ１４、１６及び１８は、ＲＳ２３２Ｃの規格に沿ったシリアル信号を送受信する。ＲＳ２３２Ｃの規格に沿ったシリアル信号は、例えば、タッチパネルモニタ３，４のタッチ位置を示すデータ信号（ＴＸＤ）、タッチパネルモニタ３，４からサーバ１に送られる送信要求（ＲＴＳ）、及びサーバ１からタッチパネルモニタ３，４に送られる動作準備の完了を示す信号（ＤＴＲ）などを含む。
【０００５】
スイッチ２０は、タッチパネルモニタ３，４の切り替え指示を出力する。メインマイコン１９は、スイッチ２０からの切り替え指示に応じて、アナログスイッチ１５及び１７にオン又はオフ信号を出力する。メインマイコン１９がアナログスイッチ１５にオン信号を出力し且つアナログスイッチ１７にオフ信号を出力した場合には、タッチパネルモニタ３が操作権を有し、タッチパネルモニタ４は操作権を有さない。メインマイコン１９がアナログスイッチ１７にオン信号を出力し且つアナログスイッチ１５にオフ信号を出力した場合には、タッチパネルモニタ４が操作権を有し、タッチパネルモニタ３は操作権を有さない。
【０００６】
アナログスイッチ１５は、メインマイコン１９からオフ信号を受信すると、ＲＴＳ信号及びＤＴＲ信号をオフにする、即ち、サーバ１とタッチパネルモニタ３との間でＲＴＳ信号及びＤＴＲ信号が送受信されなくなる。アナログスイッチ１７は、メインマイコン１９からオフ信号を受信すると、ＲＴＳ信号及びＤＴＲ信号をオフにする、即ち、サーバ１とタッチパネルモニタ４との間でＲＴＳ信号及びＤＴＲ信号が送受信されなくなる。
【０００７】
また、従来より、一方の装置に含まれるＲＳ２３２Ｃ端子のピン配置と他方の装置に含まれるＲＳ２３２Ｃ端子のピン配置とが異なる場合に、これらの装置の間で信号の中継を行う中継装置が知られている（例えば、特許文献１参照）。
【先行技術文献】
【特許文献】
【０００８】
【特許文献１】特開２０１５−１６５３５５号公報
【発明の概要】
【発明が解決しようとする課題】
【０００９】
ところで、タッチパネルモニタには、ＲＴＳ信号及びＤＴＲ信号を使用している製品と、ＲＴＳ信号及びＤＴＲ信号を使用していない製品とがある。
【００１０】
例えば、操作権のないタッチパネルモニタ４がＲＴＳ信号及びＤＴＲ信号を使用していない場合、操作者がタッチパネルモニタ４を操作すると、ＴＸＤ信号がタッチパネルモニタ４からアナログスイッチ１７を介してサーバ１に到達する。つまり、タッチパネルモニタ４はＴＸＤ信号をサーバ１に送信できるので、タッチパネルモニタ４は自動的に操作権を取得することができる。
【００１１】
一方、操作権のないタッチパネルモニタ４がＲＴＳ信号及びＤＴＲ信号を使用する場合、アナログスイッチ１７が、メインマイコン１９からのオフ信号に応じてＲＴＳ信号及びＤＴＲ信号をオフにすると、サーバ１のＲＴＳ信号及びＤＴＲ信号はタッチパネルモニタ４に到達しない。タッチパネルモニタ４はデータ信号（ＴＸＤ）を送信できないので、操作者は、タッチパネルモニタ４を使って操作を行うことができない。
【００１２】
このように、操作権のないタッチパネルモニタがＲＴＳ信号及びＤＴＲ信号を使用する場合、操作者がタッチパネルモニタをタッチしても、タッチパネルモニタの操作を行うことができない、即ちタッチパネルモニタの操作権を切り替えることができないという課題がある。
【００１３】
本発明の目的は、タッチパネルの通信制御方式にかかわらず、タッチパネルの操作権を切り替えることができるスプリッターを提供することにある。
【課題を解決するための手段】
【００１４】
上記目的を達成するため、明細書に開示されたスプリッターは、複数のタッチパネルとサーバとの間に接続されるスプリッターであって、前記複数のタッチパネルのいずれか一つの操作を有効にする指示を入力する入力手段と、前記入力手段からの指示に応じて、前記複数のタッチパネルのいずれか一つの操作を有効にする第１の回路と、前記第１の回路と接続され、前記複数のタッチパネルと前記サーバとの通信を確立するための通信確立信号の通過又は常時オンを切り替える第２の回路と、前記第２の回路の切り替え動作を制御する制御手段とを備えることを特徴とする。
【発明の効果】
【００１５】
本発明によれば、タッチパネルモニタの通信制御方式にかかわらず、タッチパネルモニタの操作権を切り替えることができる。
【図面の簡単な説明】
【００１６】
【図１】従来のスプリッターの構成図である。
【図２】本実施の形態に係るスプリッターの構成図である。
【図３】スプリッター３２で実行される第１設定モードの処理を示すフローチャートである。
【図４】スプリッター３２で実行される第２設定モードの処理を示すフローチャートである。
【発明を実施するための形態】
【００１７】
以下、図面を参照しながら本発明の実施の形態を説明する。
【００１８】
図２は、本実施の形態に係るスプリッターの構成図である。
【００１９】
スプリッター３２は、ＲＳ２３２Ｃ端子５１、ビデオ端子５２、ＰＳ／２端子又はＵＳＢ端子５３を介してサーバ３１に接続されている。スプリッター３２は、ビデオ及びＲＳ２３２Ｃ端子５４，５５を介してタッチパネルモニタ３３，３４にそれぞれ接続されている。スプリッター３２は、ＰＳ／２端子又はＵＳＢ端子５６を介してマウス３５及びキーボード３６に接続されている。スプリッター３２は、ＰＳ／２端子又はＵＳＢ端子６１を介してマウス３７及びキーボード３８に接続されている。
【００２０】
タッチパネルモニタ３３及び３４は、後述するＲＴＳ信号及びＤＴＲ信号をサーバ−タッチパネルモニタ間の通信確立信号として使用するタッチパネルモニタ又はＲＴＳ信号及びＤＴＲ信号をサーバ−タッチパネルモニタ間の通信確立信号として使用しないタッチパネルモニタのいずれかである。
【００２１】
スプリッター３２は、ＲＳ２３２Ｃコントローラ４１、第１の回路として機能するアナログスイッチ４２，４３、第２の回路として機能する制御切替スイッチ４４，４５、ＲＳ２３２Ｃコントローラ４６，４７、メインマイコン４８，４９及びサブマイコン５０を備えている。メインマイコン４８は、制御手段として機能する。
【００２２】
ＲＳ２３２Ｃコントローラ４１、４６及び４７は、ＲＳ２３２Ｃの規格に沿ったシリアル信号を送受信する。ＲＳ２３２Ｃの規格に沿ったシリアル信号は、例えば、タッチパネルモニタ３３，３４のタッチ位置を示すデータ信号（ＴＸＤ）、タッチパネルモニタ３３，３４からサーバ３１に送られる送信要求（ＲＴＳ）、及びサーバ３１からタッチパネルモニタ３３，３４に送られる動作準備の完了を示す信号（ＤＴＲ）などを含む。ＲＴＳ信号及びＤＴＲ信号は通信確立信号の一例である。
【００２３】
メインマイコン４８は、ＰＳ／２端子又はＵＳＢ端子５６を介してマウス３５及びキーボード３６からシリアルデータを入力する。メインマイコン４８は、入力されたシリアルデータをサブマイコン５０を介してサーバ３１に送信する。メインマイコン４８は、ＬＥＤ５７を使ってスプリッター３２の状態を表示する。メインマイコン４８は、設定モードを切り換えるスイッチ５８−６０に接続されている。スイッチ５８、５９は、入力手段として機能する。スイッチ６０は、指示出力手段として機能する。
【００２４】
メインマイコン４９は、ＰＳ／２端子又はＵＳＢ端子６１を介してマウス３７及びキーボード３８からシリアルデータを入力する。メインマイコン４９は、入力されたシリアルデータをサブマイコン５０を介してサーバ３１に送信する。
【００２５】
サーバ３１からのビデオ信号はビデオ端子５２及び、ビデオ及びＲＳ２３２Ｃ端子５４，５５を介してタッチパネルモニタ３３，３４に供給される。
【００２６】
スイッチ５８及び５９は、設定モードの選択指示を出力する。設定モードは、タッチパネルモニタ３３又は３４でサーバ３１に対するデータ入力を実行する通常モードと、制御切替スイッチ４４，４５でＲＴＳ信号及びＤＴＲ信号をサーバ側に通過させるか又はグランドに流して常時オンにするかをメインマイコン４８が自動的に切り替える第１設定モードと、制御切替スイッチ４４，４５でＲＴＳ信号及びＤＴＲ信号をサーバ側に通過させるか又はグランドに流して常時オンにするかを操作者が手動で切り替える第２設定モードとを含む。スイッチ５８がオンである場合は、第１設定モードが選択され、スイッチ５９がオンである場合は、第２設定モードが選択される。
【００２７】
また、メインマイコン４８は、操作権のないタッチパネルモニタから所定時間内にデータ信号（ＴＸＤ）を受信できない場合には、又はスイッチ６０からの切り替え指示を受信した場合には、ＲＳ  ＯＰＥ信号を出力して制御切替スイッチ４４，４５の設定を切り替える。尚、ＲＳ  ＯＰＥ信号は、制御切替スイッチ４４，４５の設定を切り替えるための切替信号である。例えば、制御切替スイッチ４４，４５の設定が、ＲＴＳ信号及びＤＴＲ信号をサーバ側に通過させる設定である場合には、メインマイコン４８がＲＳ  ＯＰＥ信号を出力すると、制御切替スイッチ４４，４５の設定はＲＴＳ信号及びＤＴＲ信号をグランドに流して常時オンの設定に切り替えられる。制御切替スイッチ４４，４５の設定が、ＲＴＳ信号及びＤＴＲ信号をグランドに流して常時オンにする設定である場合には、メインマイコン４８がＲＳ  ＯＰＥ信号を出力すると、制御切替スイッチ４４，４５の設定はＲＴＳ信号及びＤＴＲ信号をサーバ側に通過させる設定に切り替えられる。
【００２８】
また、アナログスイッチ４２，４３は、メインマイコン４８からのＲＳ  ＳＥＬ信号（セレクタ信号）に応じて、複数のタッチパネルモニタ３３，３４のいずれか一つの操作を有効にする、即ちタッチパネルモニタ３３，３４のいずれか１つからサーバ３１にデータ信号（ＴＸＤ）を送信可能にする。
【００２９】
例えば、アナログスイッチ４２がメインマイコン４８からオンのセレクタ信号を受信してアナログスイッチ４２をオンし、アナログスイッチ４３がメインマイコン４８からオフのセレクタ信号を受信して、アナログスイッチ４３をオフする場合には、タッチパネルモニタ３３は、サーバ３１のＲＴＳ信号及びＤＴＲ信号が伝達されるので操作権を有し、タッチパネルモニタ３４は、サーバ３１のＲＴＳ信号及びＤＴＲ信号が伝達されないので操作権を有さない。アナログスイッチ４３がメインマイコン４８からオンのセレクタ信号を受信してアナログスイッチ４３をオンし、アナログスイッチ４２がメインマイコン４８からオフのセレクタ信号を受信してアナログスイッチ４２をオフする場合には、タッチパネルモニタ３４は、サーバ３１のＲＴＳ信号及びＤＴＲ信号が伝達されるので操作権を有し、タッチパネルモニタ３３は、サーバ３１のＲＴＳ信号及びＤＴＲ信号が伝達されないので操作権を有さない。
【００３０】
アナログスイッチ４２がメインマイコン４８からオフのセレクタ信号を受信したにもかかわらず、メインマイコン４８がタッチパネルモニタ３３からデータ信号（ＴＸＤ）を受信した場合には、タッチパネルモニタ３３の操作を有効にする。同様に、アナログスイッチ４３がメインマイコン４８からオフのセレクタ信号を受信したにもかかわらず、メインマイコン４８がタッチパネルモニタ３４からデータ信号（ＴＸＤ）を受信した場合には、タッチパネルモニタ３４の操作を有効にする。
【００３１】
例えば、タッチパネルモニタ３３がＲＴＳ信号及びＤＴＲ信号を使用せず、且つメインマイコン４８が、タッチパネルモニタ３３からデータ信号（ＴＸＤ）を受信した場合には、アナログスイッチ４２がメインマイコン４８からオフのセレクタ信号を受信したとしても、メインマイコン４８はタッチパネルモニタ３３の操作を有効にする。
【００３２】
例えば、タッチパネルモニタ３３がＲＴＳ信号及びＤＴＲ信号を使用し、且つメインマイコン４８が、タッチパネルモニタ３３からデータ信号（ＴＸＤ）を受信した場合には、アナログスイッチ４２がメインマイコン４８からオフのセレクタ信号を受信したとしても、メインマイコン４８はタッチパネルモニタ３３の操作を有効にする。尚、タッチパネルモニタ３３がＲＴＳ信号及びＤＴＲ信号を使用する場合には、制御切替スイッチ４４によってＲＴＳ信号及びＤＴＲ信号をグランドに流して常時オンに切り替えた後でなければ、タッチパネルモニタ３３はデータ信号（ＴＸＤ）を送信することができない。
【００３３】
図３は、スプリッター３２で実行される第１設定モードの処理を示すフローチャートである。本処理では、操作者が操作権のないタッチパネルモニタを押下することで、制御切替スイッチ４４，４５がＲＴＳ信号及びＤＴＲ信号の信号経路を自動的に切り替え、操作権のないタッチパネルモニタがサーバ３１と通信を確立する。
【００３４】
まず、操作者がスイッチ５８を押下すると（Ｓ１）、メインマイコン４８は、第１設定モードに入る（Ｓ２）。メインマイコン４８がアナログスイッチ４２にオフのセレクタ信号を出力し且つアナログスイッチ４３にオンのセレクタ信号を出力する（Ｓ３）。これにより、タッチパネルモニタ３４が操作権を有し、タッチパネルモニタ３３は操作権を失う。
【００３５】
次に、メインマイコン４８は、予め決められた時間内にＲＳ２３２Ｃコントローラ４６からデータ信号（ＴＸＤ）を受信したか否かを判別する（Ｓ５）。この時、操作権のないタッチパネルモニタ３３が押下され、メインマイコン４８がＲＳ２３２Ｃコントローラ４６からデータ信号（ＴＸＤ）を受信した場合には（Ｓ５でＹＥＳ）、メインマイコン４８からアナログスイッチ４２にオンのセレクタ信号を送信し、タッチパネルモニタ３３の操作を有効にする（Ｓ６）。この場合、メインマイコン４８からアナログスイッチ４３にオフのセレクタ信号を送信し、タッチパネルモニタ３４が操作権を失う。その後、メインマイコン４８は、第１設定モードから通常モードに戻り（Ｓ７）、本処理を終了する。尚、通常モードに戻るときに、制御切替スイッチ４４，４５の設定は第１設定モードに入る前の設定に戻す。
【００３６】
予め決められた時間内にメインマイコン４８がＲＳ２３２Ｃコントローラ４６からデータ信号（ＴＸＤ）を受信しない場合には（Ｓ５でＮＯ）、メインマイコン４８は、ＲＳ  ＯＰＥ信号を出力し、制御切替スイッチ４４，４５の設定を切り替える（Ｓ８）。
【００３７】
次に、制御切替スイッチ４４、４５の設定を切り替えた回数が、所定の回数か否かを判断する（Ｓ９）。切り替えた回数が所定の回数である場合には、通常モードに戻り（Ｓ７）、第１設定モードを終了する。切り替えた回数が所定の回数未満である場合（Ｓ９でＮＯ）には、手順はＳ５に戻る。
【００３８】
タッチパネルモニタ３３がＲＴＳ信号及びＤＴＲ信号を使用している場合、例えば、Ｓ５において、タッチパネルモニタ３３が押下され続けており、且つ制御切替スイッチ４４、４５の設定がＲＴＳ信号及びＤＴＲ信号をサーバ側に通過させる設定の場合は、アナログスイッチ４２がオフのため、タッチパネルモニタ３３にはサーバ側のＲＴＳ信号及びＤＴＲ信号が伝達されず、タッチパネルモニタ３３はデータ信号（ＴＸＤ）を送信しない。メインマイコン４８は、ＲＳ２３２Ｃコントローラ４６からデータ信号（ＴＸＤ）を受信できないので、ＲＳ  ＯＰＥ信号を出力し、制御切替スイッチ４４，４５の設定をＲＴＳ信号及びＤＴＲ信号をグランドに流して常時オンにする設定に切り替える。Ｓ８の制御切替スイッチ４４，４５の設定の切り替えにより、タッチパネルモニタ３３はデータ信号（ＴＸＤ）が送信されるので、メインマイコン４８は操作権のないタッチパネルモニタ３３を有効にできる。
【００３９】
タッチパネルモニタ３３がＲＴＳ信号及びＤＴＲ信号を使用していない場合、例えば、Ｓ５において、タッチパネルモニタ３３が押下され続けていれば、制御切替スイッチ４４、４５の設定がＲＴＳ信号及びＤＴＲ信号をサーバ側に通過させる設定でもグランドに流して常時オンにする設定でも、タッチパネルモニタ３３からデータ信号（ＴＸＤ）が送信されるので、メインマイコン４８は操作権のないタッチパネルモニタ３３を有効にできる。
【００４０】
図３の処理では、操作権のないタッチパネルモニタ３３が押下され続けることでタッチパネルモニタ３３の操作が有効になる（即ち、タッチパネルモニタ３３が操作権を取得する）例を説明したが、操作権のないタッチパネルモニタ３４が押下され続けることでタッチパネルモニタ３４の操作が有効になってよい。この場合、図３の処理において、アナログスイッチ４２、制御切替スイッチ４４、ＲＳ２３２Ｃコントローラ４６及びタッチパネルモニタ３３の説明は、それぞれ、アナログスイッチ４３、制御切替スイッチ４５、ＲＳ２３２Ｃコントローラ４７及びタッチパネルモニタ３４の説明に置き換えられる。
【００４１】
図４は、スプリッター３２で実行される第２設定モードの処理を示すフローチャートである。本処理では、操作者がスイッチ６０を押下することで、手動で、ＲＴＳ信号及びＤＴＲ信号の信号経路を切り替え、操作権のないタッチパネルモニタがサーバ３１と通信を確立する。
【００４２】
まず、操作者がスイッチ５９を押下すると（Ｓ１１）、メインマイコン４８は、第２設定モードに入る（Ｓ１２）。次に、メインマイコン４８は、スイッチ６０が所定時間内に押下されたか否かを判別する（Ｓ１３）。スイッチ６０が所定時間内に押下された場合には（Ｓ１３でＹＥＳ）、メインマイコン４８は、ＲＳ  ＯＰＥ信号を出力し、制御切替スイッチ４４，４５の設定をＲＴＳ信号及びＤＴＲ信号をサーバ側に通過させる設定に切り替える（Ｓ１４）。尚、制御切替スイッチ４４，４５の切り替え前の設定は、ＲＴＳ信号及びＤＴＲ信号をグランドに流して常時オンにする設定である。
【００４３】
スイッチ６０が所定時間内に押下されない場合には（Ｓ１３でＮＯ）、メインマイコン４８は、ＲＳ  ＯＰＥ信号を出力せずに、制御切替スイッチ４４，４５の設定（即ちＲＴＳ信号及びＤＴＲ信号をグランドに流して常時オンにする設定）を維持する（Ｓ１５）。  その後、スイッチ５９が押下されると（Ｓ１６でＹＥＳ）、メインマイコン４８は、第２設定モードから通常モードに戻り（Ｓ１７）、本処理を終了する。通常モードに戻ったときに、制御切替スイッチ４４，４５の設定が有効になる。
【００４４】
尚、制御切替スイッチ４４，４５の切り替え前の設定は、ＲＴＳ信号及びＤＴＲ信号をサーバ側に通過させる設定でもよい。この場合、スイッチ６０が所定時間内に押下された場合（Ｓ１３でＹＥＳ）に、Ｓ１５の処理を行い、スイッチ６０が所定時間内に押下されない場合には（Ｓ１３でＮＯ）に、Ｓ１４の処理を行う。
【００４５】
以上説明したように、本実施の形態によれば、スプリッター３２は、タッチパネルモニタ３３，３４のいずれか一つの操作を有効にする指示を入力するスイッチ５８と、スイッチ５８からの指示に応じて、タッチパネルモニタ３３，３４のいずれか一つの操作を有効にするアナログスイッチ４２，４３と、アナログスイッチ４２，４３と接続され、タッチパネルモニタ３３，３４とサーバ３１との通信を確立するためのＲＴＳ信号及びＤＴＲ信号の通過又は常時オンを切り替える制御切替スイッチ４４，４５と、予め決められた時間内に、操作が有効にされていないタッチパネルモニタからデータ信号が入力されない場合に、制御切替スイッチ４４，４５の切り替え動作を制御するメインマイコン４８とを備えている。これにより、操作権のないタッチパネルモニタがＲＴＳ信号及びＤＴＲ信号を使用する場合にも使用しない場合にも、操作権のないタッチパネルモニタの操作を有効にできるので、タッチパネルの通信制御方式にかかわらず、タッチパネルの操作権を切り替えることができる。
【００４６】
尚、本発明は、上述した実施の形態に限定されるものではなく、その要旨を逸脱しない範囲内で種々変形して実施することが可能である。
【符号の説明】
【００４７】
３１  サーバ
３２  スプリッター
３３，３４  タッチパネルモニタ
４１，４６，４７  ＲＳ２３２Ｃコントローラ
４２，４３  アナログスイッチ
４４，４５  制御切替スイッチ
４８，４９  メインマイコン
５０  サブマイコン
５８，５９  スイッチ
【図１】
2018116546.tif 000003
【図２】
2018116546.tif 000004
【図３】
2018116546.tif 000005
【図４】
2018116546.tif 000006